(57)【要約】【課題】  片面のみをレジスト動作させることで、装置のコストダウン及び小型化を実現できる両面画像読取装置を提供する。【解決手段】  搬送コロ１７に、原稿反転ローラ７が原稿搬送方向逆回転した状態で原稿先端を受けて、原稿をループさせることにより整合し、整合終了後、原稿反転ローラ７を原稿搬送方向順回転方向に回転切換してから、ループがなくなるまでの間に、排出ローラ１１と排出コロ２１を離間する。【選択図】        図２
2006180258.tif 000002
【特許請求の範囲】
【請求項１】
原稿の画像を読み取る読取手段と、原稿を給紙する原稿給紙手段と、前記原稿給紙手段により給紙された原稿を搬送する原稿反転ローラと、前記原稿反転ローラと対向してシート状原稿を狭持する付勢回転手段と、前記原稿反転ローラと前記付勢回転手段とで狭持搬送される原稿搬送方向の下流側に配置される原稿排出ローラを備え、前記原稿給紙手段より前記原稿反転ローラと前記付勢回転手段とで狭持搬送されるシート状原稿を前記読取手段を通過させる際、原稿の片面の読取処理を行わせて、一旦前記原稿排出ローラを介して原稿排出側に搬送し、再び、前記原稿反転ローラへ搬送して原稿の反対面を読取手段によって読取できるようにした両面画像読取装置であって、
前記付勢回転手段に、前記原稿反転ローラが原稿搬送方向逆回転した状態で、前記両面用搬送経路を通過する原稿の先端を受けて、前記原稿をループさせることにより前記原稿の整合を行い、整合終了後、前記原稿反転ローラを原稿搬送方向の順回転方向に回転切換してから、前記ループがなくなるまでの間に、前記原稿排出ローラによる排出作動を停止することを特徴とする両面画像読取装置。
【請求項２】
前記原稿反転ローラと前記原稿排出ローラを同一の駆動手段で駆動することを特徴とする請求項１記載の両面画像読取装置。
【請求項３】
前記原稿反転ローラは、同軸上に配置した３連以上のローラから構成されることを特徴とする請求項１記載の両面画像読取装置。
【請求項４】
前記原稿排出ローラは、これと対向する排出付勢回転手段を備え、接触、離間を可能として成ることを特徴とする請求項1記載の両面画像読取装置。
【発明の詳細な説明】
【技術分野】
【０００１】
本発明は、シート状原稿を反転させて反転ローラで搬送移送する際、シート状原稿の斜行を整合できるようにした両面画像読取装置に関する。
【背景技術】
【０００２】
従来の両面画像読取装置は、表面読み時及び裏面読み時共にレジストを行い、そのレジストローラに電磁クラッチを用いて原稿の斜行矯正を行っている（例えば、特許文献１参照。）。
【特許文献１】特開２００２−１３７８４６号公報
【発明の開示】
【発明が解決しようとする課題】
【０００３】
しかしながら、上記のように電磁クラッチを用いることは、装置のコストが増大し、また装置が大型になるという問題があった。
【０００４】
そこで本発明は、このような現状に鑑みてなされたものであり、装置のコスト削減及び小型化を実現する両面画像読取装置を提供することを目的とする。
【課題を解決するための手段】
【０００５】
本発明は以下の構成を備えることにより、上記課題を解決した。
【０００６】
原稿の画像を読み取る読取手段と、原稿を給紙する原稿給紙手段と、前記原稿給紙手段により給紙された原稿を搬送する原稿反転ローラと、前記原稿反転ローラと対向してシート状原稿を狭持する付勢回転手段と、前記原稿反転ローラと前記付勢回転手段とで狭持搬送される原稿搬送方向の下流側に配置される原稿排出ローラを備え、前記原稿給紙手段より前記原稿反転ローラと前記付勢回転手段とで狭持搬送されるシート状原稿を前記読取手段を通過させる際、原稿の片面の読取処理を行わせて、一旦前記原稿排出ローラを介して原稿排出側に搬送し、再び、前記原稿反転ローラへ搬送して原稿の反対面を読取手段によって読取できるようにした両面画像読取装置であって、
前記付勢回転手段に、前記原稿反転ローラが原稿搬送方向逆回転した状態で、前記両面用搬送経路を通過する原稿の先端を受けて、前記原稿をループさせることにより前記原稿の整合を行い、整合終了後、前記原稿反転ローラを原稿搬送方向の順回転方向に回転切換してから、前記ループがなくなるまでの間に、前記原稿排出ローラによる排出作動を停止することを特徴とする両面画像読取装置。
【発明の効果】
【０００７】
本発明によれば、両面原稿の読取において、裏面読み時のみにレジスト動作を行うことで済み、かつこのレジスト動作に際し、原稿反転ローラに電磁クラッチなどの高価な部品を用いることなく行っているので、装置のコスト削減及び小型化が実現できる。
【発明を実施するための最良の形態】
【０００８】
図１は、本発明の実施の形態に係る両面画像読取装置の斜視図であり、同図において、５０は画像読取装置、１は画像読取装置５０の上部に取り付けられた原稿給送装置である。２は原稿載置台、３は原稿排出台、４は原稿載置台２に設けられ、原稿の搬送方向と直交する幅方向に移動して原稿載置台２に載置された原稿の両側端を揃えるスライダである。
【０００９】
また、１Ａは原稿給送装置１の装置本体部であり、この装置本体１Ａの内部には、図２に示すように略Ｕ字状の原稿搬送路（以下、Ｕターンパスという）１４が設けられている。なお、このＵターンパス１４の上流端側に接続するように原稿載置台２と共にシート載置部を構成する下ガイドフレーム２１が設けられ、Ｕターンパス１４の下流端側に接続するように原稿排出台３が設けられている。
【００１０】
また、このＵターンパス１４の上流部には、原稿載置台２に積載された原稿Ｓの最上位の原稿Ｓ１に当接して、これを送り出す原稿給紙手段であるピックアップローラ１０と、ピックアップローラ１０により送り出された原稿Ｓ１を１枚ずつに分離する分離部を構成する分離パット１５及びこの分離パット１５に圧接する分離ローラ５と、原稿載置台２に積載された原稿Ｓの先端位置を規制する原稿ストッパ９と、原稿載置台上の原稿Ｓの有無を検知する原稿有無センサ６とが設けられている。
【００１１】
さらに、このＵターンパス１４の下流端側には、原稿Ｓを原稿排出台３に排出するための排出ローラ１１と、原稿Ｓの先端部及び後端部を検出する原稿エッジセンサ８が設けられている。
【００１２】
なお、同図において、７は弾性手段など付勢された第１〜第４搬送コロ１７〜２０と共に原稿Ｓを挟持しながら搬送する原稿反転ローラ、１６は分離ローラ５の軸と同軸上に回転自在に設けられたピックアップアームであり、このピックアップアーム１６の回動端にピックアップローラ１０が回転自在に保持されている。
【００１３】
そして、この保持手段であるピックアップアーム１６により、下ガイドフレーム２１の上方に配置されたピックアップローラ１０は、原稿Ｓの接離可能に保持されると共に、原稿を送り出す際は、このピックアップアーム１６の下方回動に伴って原稿Ｓに回転しながら当接するようになっている。
【００１４】
ここで、この原稿給送装置１は、操作者が原稿Ｓを原稿載置台２に載置してセットするとき、原稿Ｓは原稿給送装置１に対して右側から左側に向かって、かつ画像面を上側にしてセットされるようになっており、この原稿セットには、原稿Ｓの先端位置が原稿ストッパ９によって規制され、また原稿有無センサ６により原稿有りが検知されるようになっている。なお、この原稿ストッパ９は、後述するようにピックアップアーム１６が下方回動すると、ピックアップアーム１６により押し下げられるようになっている。
【００１５】
１Ｂはピックアップローラ１０及び原稿反転ローラ７により搬送された原稿Ｓを読み取るための画像読取部であり、この画像読取部１Ｂは読取ガラス１２と、読取ガラス１２の下方に設けられた密着型イメージセンサ１３とを備えている。
【００１６】
ここで、この密着型イメージセンサ１３は光源としての不図示のＬＥＤアレイから原稿Ｓの画像情報面に光を照射し、画像情報面で反射した反射光をセルフォックレンズ（商標）でセンサ素子に結像して画像情報を読み取るものである。
【００１７】
そして、このような画像読取装置１において、操作者が不図示の操作部から読取開始を指示すると、まず不図示のモータが回転してピックアップアーム１６が下方回動し、これにより原稿ストッパ９が押し下げられる。この後、ピックアップローラ１０が原稿載置台２に積載された原稿Ｓの最上位の原稿Ｓ１に当接し、この最上位の原稿Ｓ１を送り出す。
【００１８】
次に、この最上位の原稿Ｓ１は押し下げられた原稿ストッパ９の上端面を通り、分離ローラ５及び分離パット１５によって他の原稿から分離され、Ｕターンパス１４の内部へと送り込まれる。さらに、このようにＵターンパス１４の内部へと送り込まれた原稿Ｓ１は、原稿反転ローラ７と対向するコロ１７〜１９によって、密着型イメージセンサ１３により画像情報が読み取られる読取位置に向かって搬送される。
【００１９】
次に、原稿エッジセンサ８により原稿Ｓ１の先端部が検知されると、その位置から所定量搬送されたところで、密着型イメージセンサ１３による画像情報の読取が開始される。また、この後、原稿エッジセンサ８により原稿Ｓ１の後端部が検知されると、その位置から所定量搬送されたところで、密着型イメージセンサ１３による画像情報の読取を終了する。
【００２０】
さらに、原稿Ｓ１の裏面を読み取る場合には、原稿Ｓ１の表面の画像情報読取終了後、原稿Ｓ１の後端部が搬送パス切換部材２２を通過すると、排出ローラ１１が逆回転し、原稿Ｓ１は両面用搬送経路１４ｂに搬送され、再度Ｕターンパス１４の内部へと送り込まれ、原稿反転ローラ７と対向する付勢されたコロ１７〜１９によって搬送され、同様にして原稿裏面の画像情報が読み取られる。この際、原稿Ｓ１は原稿反転ローラ７と対向するコロ１７にて、原稿Ｓ１のレジストを行う。そのレジスト動作について、図３〜図６を用いて以下に説明する。
【００２１】
まず、図３に示すように、原稿Ｓ１の表面画像読取終了後、原稿Ｓ１後端部が搬送パス切換部材２２で切換えられた両面用搬送経路１４ｂ内を通過すると、不図示のモータが逆転し、排出ローラ１１は図中Ｘ方向に、また原稿反転ローラ７は図中Ｙ方向に回転される。この場合、排出ローラ１１は原稿反転ローラ７と同一のモータで駆動している。そして、原稿Ｓ１先端部が搬送コロ１７に達すると、原稿Ｓ１先端部が原稿反転ローラ７によって押し戻されるため、同図に示すように、原稿Ｓ１がループを形成し、斜行矯正が行われる。具体的には、図４に示すように、原稿反転ローラ７と同軸上左右に原稿反転ローラ７ａ、７ｂを設けている。そして、それぞれの原稿反転ローラ７ａ、７ｂには搬送コロ１７ａ、１７ｂが対向している。上述したように、モータが逆転すると、原稿反転ローラ７と共に原稿反転ローラ７ａ、７ｂも同様に図中Ｙ方向に回転される。そして、原稿Ｓ１がそれぞれの原稿反転ローラ７ａ、７ｂと搬送コロ１７ａ、１７ｂのニップに達すると、押し戻されるため、ループ形状を形成し、原稿両端において、確実に斜行矯正が可能となる。
【００２２】
次に、図５に示すように、斜行矯正後、再度モータを正転させると、排出ローラ１１は図中Ｘ２方向に、原稿反転ローラ７は図中Ｙ２方向に回転される。そして、この際、排出ローラ１１は原稿Ｓ１の搬送方向と逆方向に回転しているため、モータ正転切換直後から原稿のループがなくなるまでの間に排出ローラ１１を対向する排出コロ２１から離間させる。そして、原稿Ｓ１は原稿反転ローラ７と対向するコロ１８、１９によって搬送され、原稿Ｓ１表面と同様にして、原稿Ｓ１裏面画像が密着型イメージセンサ１３により読み取られた後、原稿排出台３に排出される。
【００２３】
図６はその動作シーケンスを示しており、モータが逆転動作に入った後、図中ａが原稿Ｓ１先端が搬送コロ１７に達する位置である。その後、モータが正転に切り替わる（図中ｂ）までの間の時間ｔ１で原稿にループが形成される。図中ｃは、モータ正転切換後、原稿のループがなくなる位置である。モータ正転切換から原稿のループがなくなる時間ｔ２に、排出ローラ１１を対向する排出コロ２１から離間させる。
【００２４】
以上のような動作によって、両面原稿を読み取る際に、表面読み時には原稿スライダ４により両端がしっかりと規制され、ほとんど原稿の斜行は発生しないためにレジスト動作は行わず、裏面読み時のみにレジスト動作を行うことで、原稿反転ローラ７に電磁クラッチを用いる必要はなく、装置のコスト削減及び小型化が実現できる。
【図面の簡単な説明】
【００２５】
【図１】本発明の実施の形態に係る両面画像読取装置の斜視図である。
【図２】上記両面画像読取装置の概略構成を示す図である。
【図３】上記両面画像読取装置のレジスト動作の説明図である。
【図４】上記両面画像読取装置のレジスト動作の説明図である。
【図５】上記両面画像読取装置のレジスト動作の説明図である。
【図６】上記両面画像読取装置のレジスト動作のシーケンスを示す図である。
【符号の説明】
【００２６】
１  原稿給送装置
１Ａ  装置本体
１Ｂ  画像読取部（読取手段に相当）
２  原稿載置台
５  分離ローラ
７、７ａ、７ｂ  原稿反転ローラ
１０  ピックアップローラ（原稿給紙手段に相当）
１１  排出ローラ
１２  読取ガラス
１３  密着型イメージセンサ
１４  原稿搬送路
１４ｂ  両面用搬送経路
１５  分離パット
１７  搬送コロ
２１  排出コロ
２２  搬送パス切換部材
Ｓ  原稿
【図１】
2006180258.tif 000003
【図２】
2006180258.tif 000004
【図３】
2006180258.tif 000005
【図４】
2006180258.tif 000006
【図５】
2006180258.tif 000007
【図６】
2006180258.tif 000008